(57)【特許請求の範囲】
【請求項１】
携帯端末と前記携帯端末と通信可能な情報提供装置とを含む情報提供システムであって、
前記携帯端末は、
前記情報提供装置に対して、接続先を指定した接続要求をする接続要求手段を備え、
前記情報提供装置は、
前記携帯端末からの前記接続要求を受信する受信手段と、
前記受信手段によって受信された前記接続要求に応じて、特定の情報を含む特定ウェブページに誘導する誘導手段とを備え、
前記携帯端末は、
前記誘導手段によって誘導された前記特定ウェブページに含まれる前記特定の情報を出力する出力手段を備え、
前記誘導手段は、前記接続要求により指定された前記接続先が前記特定ウェブページと異なる場合、当該接続先への接続をできないようにする、情報提供システム。
【請求項２】
前記誘導手段は、前記接続要求により指定された前記接続先とは無関係に、前記特定ウェブページに誘導することで、当該接続先への接続をできないようにする、請求項１に記載の情報提供システム。
【請求項３】
前記情報提供装置は、さらに、
前記受信手段によって受信された前記接続要求で示される接続先が特定接続先であるか否かを判断する判断手段を備え、
前記誘導手段は、前記判断手段によって判断された判断結果に応じて、前記特定ウェブページに誘導する、請求項１に記載の情報提供システム。
【請求項４】
前記誘導手段は、前記判断手段によって前記接続要求で示される接続先が前記特定接続先でないと判断された場合は、前記特定ウェブページに誘導することで、当該接続先への接続をできないようにする、請求項３に記載の情報提供システム。
【請求項５】
前記誘導手段は、前記判断手段によって前記接続要求で示される接続先が前記特定接続先であると判断された場合は、前記特定接続先のウェブページに誘導し、
前記出力手段は、前記特定接続先のウェブページに含まれる情報を出力する、請求項３または請求項４に記載の情報提供システム。
【請求項６】
前記誘導手段は、
前記接続要求に応じて、前記特定ウェブページに誘導させるための応答を当該携帯端末に返す応答手段を含み、
前記携帯端末は、さらに、
前記情報提供装置からの前記応答に応じて、前記特定ウェブページにアクセスするためのアクセス要求をするアクセス要求手段を備え、
前記誘導手段は、さらに、
前記携帯端末からの前記アクセス要求に応じて、前記特定ウェブページの出力用の情報を送信する送信手段を含み、
前記出力手段は、前記情報提供装置からの前記出力用の情報に含まれる前記特定の情報を出力する、請求項１に記載の情報提供システム。
【請求項７】
前記情報提供装置は、ルータとサーバとを備え、
前記ルータは、前記応答手段を備え、
前記サーバは、前記送信手段を備える、請求項６に記載の情報提供システム。
【請求項８】
前記接続要求手段は、所定ドメイン名を指定した前記接続要求をし、
前記応答手段は、前記接続要求で指定される前記所定ドメイン名に応じたアドレスとは
無関係に、前記サーバの特定アドレスを含む応答を返し、
前記アクセス要求手段は、前記応答に含まれる前記特定アドレスに対して前記アクセス要求をする、請求項７に記載の情報提供システム。
【請求項９】
前記ルータは、さらに、
前記所定ドメイン名を設定するための設定手段を備える、請求項８に記載の情報提供システム。
【請求項１０】
前記設定手段は、前記所定ドメイン名をワイルドカードまたは正規表現でまとめて設定可能である、請求項９に記載の情報提供システム。
【請求項１１】
前記ルータは、さらに、
前記特定アドレスを設定するための設定手段を備える、請求項８に記載の情報提供システム。
【請求項１２】
前記ルータは、店舗内の前記携帯端末と通信可能に設置され、
前記特定の情報は、前記店舗の広告情報または楽曲を再生するための情報である、請求項７に記載の情報提供システム。
【請求項１３】
携帯端末と通信可能な情報提供装置であって、
前記携帯端末からの、接続先を指定した接続要求を受信する受信手段と、
前記受信手段によって受信された前記接続要求に応じて、特定の情報を含む特定ウェブページに誘導する誘導手段とを備え、
前記誘導手段は、前記接続要求により指定された前記接続先が前記特定ウェブページと異なる場合、当該接続先への接続をできないようにする、情報提供装置。
【請求項１４】
携帯端末と通信可能なルータであって、
前記携帯端末からの、接続先を指定した接続要求を受信する受信手段と、
前記受信手段によって受信された前記接続要求に応じて、特定の情報を含む特定ウェブページに誘導させるとともに前記接続要求により指定された前記接続先が前記特定ウェブページと異なる場合、当該接続先への接続をできないようにするための応答を当該携帯端末に返す応答手段とを備える、ルータ。
【請求項１５】
携帯端末と前記携帯端末と通信可能な情報提供装置とを含む情報提供システムで行なわれる情報提供方法であって、
前記携帯端末が、前記情報提供装置に対して、接続先を指定した接続要求をするステップと、
前記情報提供装置が、前記携帯端末からの前記接続要求を受信するステップと、
前記情報提供装置が、受信された前記接続要求に応じて、特定の情報を含む特定ウェブページに誘導するステップと、
前記携帯端末が、誘導された前記特定ウェブページに含まれる前記特定の情報を出力するステップと、
前記情報提供装置が、前記接続要求により指定された前記接続先が前記特定ウェブページと異なる場合、当該接続先への接続をできないようにするステップとを含む、情報提供方法。
【請求項１６】
携帯端末と通信可能なルータで実行される情報提供プログラムであって、
前記携帯端末からの、接続先を指定した接続要求を受信するステップと、
受信された前記接続要求に応じて、特定の情報を含む特定ウェブページに誘導させるとともに前記接続要求により指定された前記接続先が前記特定ウェブページと異なる場合、当該接続先への接続をできないようにするための応答を当該携帯端末に返すステップとを、前記ルータに実行させる、情報提供プログラム。
【発明の詳細な説明】
【技術分野】
【０００１】
この発明は、情報提供システム、情報提供装置、ルータ、情報提供方法、および、情報提供プログラムに関し、特に、情報を提供するのに適した情報提供システム、情報提供装置、ルータ、情報提供方法、および、情報提供プログラムに関する。
【背景技術】
【０００２】
ルータは、ネットワーク上で、サーバ等に付けられたホスト名またはドメイン名などの名前からＩＰアドレスを割り出す名前解決機能を有している（たとえば、特許文献１参照）。これにより、ルータに接続されるスマートフォンなどの端末装置は、特定のサーバにアクセスすることができる。
【先行技術文献】
【特許文献】
【０００３】
【特許文献１】特開平１１−００４２６１号公報
【発明の概要】
【発明が解決しようとする課題】
【０００４】
しかし、スマートフォンなどの携帯端末から無料でアクセス可能なルータを店舗内に設けたとしても、ユーザにルータを介したインターネットアクセスを提供できるだけで、店舗の側がユーザに示したい特定の情報をユーザに示すことができず、店舗の側には特にメリットが無いといった問題があった。
【０００５】
この発明は、上述の問題を解決するためになされたものであり、その目的の１つは、特定の情報を携帯端末で出力させてユーザに示すことが可能な情報提供システム、情報提供装置、ルータ、情報提供方法、および、情報提供プログラムを提供することである。
【課題を解決するための手段】
【０００６】
上述の目的を達成するために、この発明のある局面によれば、情報提供システムは、携帯端末と携帯端末と通信可能な情報提供装置とを含む。携帯端末は、情報提供装置に対して、接続先を指定した接続要求をする接続要求部を備える。情報提供装置は、携帯端末からの接続要求を受信する受信部と、受信部によって受信された接続要求に応じて、特定の情報を含む特定ウェブページに誘導する誘導部とを備える。携帯端末は、誘導部によって誘導された特定ウェブページに含まれる特定の情報を出力する出力部を備える。
【０００７】
この発明に従えば、携帯端末によって、情報提供装置に対して、接続先を指定した接続要求がされ、情報提供装置によって、携帯端末から受信された接続要求に応じて、特定の情報を含む特定ウェブページに誘導され、携帯端末によって、誘導された特定ウェブページに含まれる特定の情報が出力される。このため、特定の情報を携帯端末で出力させてユーザに示すことが可能な情報提供システムを提供することができる。
【０００８】
好ましくは、誘導部は、接続要求により指定された接続先とは無関係に、特定ウェブページに誘導する。
【０００９】
この発明に従えば、情報提供装置によって、携帯端末から受信された接続要求に応じて、該接続要求により指定された接続先とは無関係に、特定の情報を含む特定ウェブページに誘導される。このため、どのような接続先との接続を要求する接続要求があったとしても、特定の情報をユーザに示すことができる。
【００１０】
好ましくは、情報提供装置は、さらに、受信部によって受信された接続要求で示される接続先が特定接続先であるか否かを判断する判断部を備え、誘導部は、判断部によって判断された判断結果に応じて、特定ウェブページに誘導する。
【００１１】
この発明に従えば、情報提供装置によって、接続要求で示される接続先が特定接続先であるか否かが判断され、その判断結果に応じて、特定ウェブページに誘導される。このため、特定接続先への接続要求か否かに応じて、特定の情報をユーザに示すことができる。
【００１２】
さらに好ましくは、誘導部は、判断部によって接続要求で示される接続先が特定接続先でないと判断された場合は、特定ウェブページに誘導する。
【００１３】
この発明に従えば、情報提供装置によって、接続要求で示される接続先が特定接続先でないと判断された場合は、特定ウェブページに誘導される。このため、特定接続先への接続要求でない場合に、特定の情報をユーザに示すことができる。
【００１４】
さらに好ましくは、誘導部は、判断部によって接続要求で示される接続先が特定接続先であると判断された場合は、特定接続先のウェブページに誘導し、出力部は、特定接続先のウェブページに含まれる情報を出力する。
【００１５】
この発明に従えば、情報提供装置によって、接続要求で示される接続先が特定接続先であると判断された場合は、特定接続先のウェブページに誘導され、携帯端末によって、特定接続先のウェブページに含まれる情報が出力される。このため、特定接続先への接続要求である場合に、特定接続先の情報をユーザに示すことができる。
【００１６】
好ましくは、誘導部は、接続要求に応じて、特定ウェブページに誘導させるための応答を当該携帯端末に返す応答部を含む。携帯端末は、さらに、情報提供装置からの応答に応じて、特定ウェブページにアクセスするためのアクセス要求をするアクセス要求部を備える。誘導部は、さらに、携帯端末からのアクセス要求に応じて、特定ウェブページの出力用の情報を送信する送信部を含む。出力部は、情報提供装置からの出力用の情報に含まれる特定の情報を出力する。
【００１７】
この発明に従えば、情報提供装置によって、接続要求に応じて、特定ウェブページに誘導させるための応答が当該携帯端末に返され、携帯端末によって、情報提供装置からの応答に応じて、特定ウェブページにアクセスするためのアクセス要求がされ、情報提供装置によって、携帯端末からのアクセス要求に応じて、特定ウェブページの出力用の情報が送信され、携帯端末によって、情報提供装置からの出力用の情報に含まれる特定の情報が出力される。このため、特定ウェブページの特定の情報を携帯端末で出力させることができる。
【００１８】
さらに好ましくは、情報提供装置は、ルータとサーバとを備える。ルータは、前述の応答部を備える。サーバは、前述の送信部を備える。
【００１９】
この発明に従えば、ルータではルータの機能を担うことができ、サーバではサーバの機能を担うことができる。このように機能を分散させることで、たとえば、ルータを複数設けたりして、システム構成の自由度を高めることができる。
【００２０】
さらに好ましくは、接続要求部は、所定ドメイン名を指定した接続要求をする。応答部は、接続要求で指定される所定ドメイン名に応じたアドレスとは無関係に、前述のサーバの特定アドレスを含む応答を返す。アクセス要求部は、特定アドレスに対してアクセス要求をする。
【００２１】
この発明に従えば、携帯端末によって、所定ドメイン名を指定した接続要求がされ、ルータによって、接続要求で指定される所定ドメイン名に応じたアドレスとは無関係に、前述のサーバの特定アドレスを含む応答が返され、携帯端末によって、応答に含まれる特定アドレスに対してアクセス要求がされる。このため、特定のアドレスの特定の情報を携帯端末で出力させることができる。
【００２２】
さらに好ましくは、ルータは、さらに、所定ドメイン名を設定するための設定部を備える。
【００２３】
この発明に従えば、特定アドレスを含む応答を返す接続要求で指定されるドメイン名を動的に設定することができる。このため、指定されたドメイン名の情報に替えて、特定の情報を出力させる場合のドメイン名を、適宜、変更することができる。
【００２４】
さらに好ましくは、設定部は、所定ドメイン名をワイルドカードまたは正規表現でまとめて設定可能である。
【００２５】
この発明に従えば、指定されたドメイン名の情報に替えて、特定の情報を出力させる場合の所定ドメイン名を効率よく設定することができる。
【００２６】
さらに好ましくは、ルータは、さらに、特定アドレスを設定するための設定部を備える。
【００２７】
この発明に従えば、設置するサーバに応じて、サーバの特定アドレスを設定することができる。このため、サーバを変更した場合であっても、容易に、特定アドレスを変更することができる。
【００２８】
さらに好ましくは、ルータは、店舗内の携帯端末と通信可能に設置される。特定の情報は、店舗の広告情報である。
【００２９】
この発明に従えば、店舗の広告情報を店舗内の携帯端末で出力させることができる。このため、店舗側が店舗内の携帯端末を有する人に効率よく広告情報を伝達することができる。
【００３０】
この発明の他の局面によれば、情報提供装置は、携帯端末と通信可能であり、携帯端末からの、接続先を指定した接続要求を受信する受信部と、受信部によって受信された接続要求に応じて、特定の情報を含む特定ウェブページに誘導する誘導部とを備える。
【００３１】
この発明に従えば、特定の情報を携帯端末で出力させてユーザに示すことが可能な情報提供装置を提供することができる。
【００３２】
この発明のさらに他の局面によれば、ルータは、携帯端末と通信可能であり、携帯端末からの、接続先を指定した接続要求を受信する受信部と、受信部によって受信された接続要求に応じて、特定の情報を含む特定ウェブページに誘導させるための応答を当該携帯端末に返す応答部とを備える。
【００３３】
この発明に従えば、特定の情報を携帯端末で出力させてユーザに示すことが可能なルータを提供することができる。
【００３４】
この発明のさらに他の局面によれば、情報提供方法は、携帯端末と携帯端末と通信可能な情報提供装置とを含む情報提供システムで行なわれる方法である。情報提供方法は、携帯端末が、情報提供装置に対して、接続先を指定した接続要求をするステップと、情報提供装置が、携帯端末からの接続要求を受信するステップと、情報提供装置が、受信された接続要求に応じて、特定の情報を含む特定ウェブページに誘導するステップと、携帯端末が、誘導された特定ウェブページに含まれる特定の情報を出力するステップとを含む。
【００３５】
この発明に従えば、特定の情報を携帯端末で出力させてユーザに示すことが可能な情報提供方法を提供することができる。
【００３６】
この発明のさらに他の局面によれば、情報提供プログラムは、携帯端末と通信可能なルータで実行される。情報提供プログラムは、携帯端末からの、接続先を指定した接続要求を受信するステップと、受信された接続要求に応じて、特定の情報を含む特定ウェブページに誘導させるための応答を当該携帯端末に返すステップとを、ルータに実行させる。
【００３７】
この発明に従えば、特定の情報を携帯端末で出力させてユーザに示すことが可能な情報提供プログラムを提供することができる。
【図面の簡単な説明】
【００３８】
【図１】この発明の実施の形態における店舗情報提供システムの概略を示す図である。
【図２】この実施の形態におけるユーザが店舗が提供する情報を利用する流れを示す図である。
【図３】この実施の形態で提供される店舗が提供する情報の例を示す図である。
【図４】携帯端末でウェブページを表示させる場合の携帯端末、無線ＬＡＮルータおよびサーバの通信の従来のシーケンスを示す図である。
【図５】第１の実施の形態における店舗内のユーザの携帯端末でウェブページを表示させる場合の携帯端末、無線ＬＡＮルータおよび店舗サーバの通信のシーケンスを示す図である。
【図６】第２の実施の形態における店舗情報提供システムに含まれる機器のＩＰアドレスの例を示す図である。
【図７】第２の実施の形態における店舗内のユーザの携帯端末でウェブページを表示させる場合の携帯端末、無線ＬＡＮルータおよび店舗サーバの通信のシーケンスを示す図である。
【図８】従来の音楽試聴システムを示す外観図である。
【図９】この発明の実施の形態の店舗情報提供システムの実施例を示す図である。
【図１０】この発明の実施の形態の変形例における店舗情報提供システムの概略を示す図である。
【図１１】この発明の実施の形態の店舗情報提供システムの第１の適用例を示す図である。
【図１２】この発明の実施の形態の店舗情報提供システムの第２の適用例を示す図である。
【図１３】第３の実施の形態における店舗内の客の携帯端末で表示されるウェブページの画面の遷移を示す図である。
【図１４】第３の実施の形態における店舗内の携帯端末でウェブページを表示させる場合の携帯端末および店舗サーバの通信のシーケンスを示す第１の図である。
【図１５】第３の実施の形態における店舗内の携帯端末でウェブページを表示させる場合の携帯端末および店舗サーバの通信のシーケンスを示す第２の図である。
【発明を実施するための形態】
【００３９】
以下、この発明の実施の形態について、図面を参照しながら詳細に説明する。なお、図中の同一または相当部分については、同一符号を付してその説明は繰返さない。
【００４０】
［第１の実施の形態］
図１は、この発明の実施の形態における店舗情報提供システム１０の概略を示す図である。店舗情報提供システム１０は、無線ＬＡＮ（Local Area Network）ルータ１００と、店舗サーバ２００とを含む。
【００４１】
無線ＬＡＮルータ１００は、携帯端末３００Ａ〜３００Ｃ（たとえば、スマートフォンまたは携帯電話など）からの要求に応じてサーバまでの経路を決定する経路制御を行なう。また、無線ＬＡＮルータ１００は、携帯端末３００Ａ〜３００Ｃとサーバとの通信を中継する。
【００４２】
無線ＬＡＮルータ１００は、店舗２０の中にいる複数の客３０Ａ〜３０Ｃがそれぞれ所持する複数の携帯端末３００Ａ〜３００Ｃと無線通信可能なように設置される。つまり、無線ＬＡＮルータ１００は、無線ＬＡＮルータ１００の通信可能範囲が店舗２０の全体をカバーするように設置される。なお、無線ＬＡＮルータ１００は、店舗２０の内部に、複数、設置されるようにしてもよい。
【００４３】
店舗サーバ２００は、無線ＬＡＮルータ１００とＬＡＮ９５０で接続される。店舗サーバ２００は、ＩＰ（Internet Protocol）セットトップボックスにサーバの機能も担わせているもので、店舗の広告情報およびチラシ情報などの情報を携帯端末３００Ａ〜３００Ｃなどの端末装置に提供する。店舗サーバ２００の設定などはリモコン２９０で行なうことが可能である。
【００４４】
また、店舗サーバ２００で提供される情報は、インターネット９００を介して、外部の店舗提供情報管理サーバ４００から更新することが可能である。
【００４５】
図２は、この実施の形態におけるユーザが店舗２０が提供する情報を利用する流れを示す図である。図２を参照して、図２（Ａ）で示すように、まず、客３０が店舗に入店する。
【００４６】
次に、図２（Ｂ）で示すように、客３０が携帯端末３００の画面を表示させる操作を行なうと、携帯端末３００が通信可能な範囲にあるＷｉ−Ｆｉ（Wireless Fidelity）ネットワークのアクセスポイントのＳＳＩＤ（Service Set Identifier）を選択するためリストの画面が携帯端末３００のディスプレイに表示される。ここで、客３０によって、複数表示されているＷｉ−Ｆｉネットワークのうちから当該店舗２０が提供しているＷｉ−ＦｉネットワークのアクセスポイントのＳＳＩＤが選択される。
【００４７】
携帯端末３００をＷｉ−Ｆｉネットワークに接続すると、通常は、ホームページまたはポータルサイトが携帯端末３００のディスプレイに表示される。しかし、図２（Ｃ）で示すように、この実施の形態の無線ＬＡＮルータ１００を介して接続した場合、店舗２０の広告情報およびチラシ情報ならびに売場情報などの情報が、携帯端末３００のディスプレイに表示される。
【００４８】
客３０は、携帯端末３００のディスプレイに表示された情報に基づいて、売場へ誘導される。そして、図２（Ｄ）で示すように、客３０は、売場で商品を確認する。その結果、図２（Ｅ）で示すように、商品が気に入れば、客３０は、その商品を、カートに入れて、購入する。
【００４９】
図３は、この実施の形態で提供される店舗２０が提供する情報の例を示す図である。図３を参照して、図３（Ａ）で示すように、従来は、店舗２０が提供する情報は、印刷されたチラシ情報であった。図３（Ｂ）〜図３（Ｄ）で示されるように、この実施の形態において店舗２０が提供する情報は、携帯端末３００に表示される店舗２０の広告情報、チラシ情報および売場情報などである。
【００５０】
また、従来は、印刷されたチラシ情報であるので、店舗２０が所属する企業として発信するものであった。しかし、携帯端末３００に表示される情報とすれば、従来の企業としてのチラシ情報に加えて、店舗独自の限定情報および店長独自の発信情報なども、客３０に提供することが可能となる。
【００５１】
図４は、携帯端末３００でウェブページを表示させる場合の携帯端末３００、無線ＬＡＮルータ１１００およびウェブサーバ１２００の通信の従来のシーケンスを示す図である。図４を参照して、従来は、まず、ステップＳ１３０１で、携帯端末３００は、ウェブブラウザの機能によって、アクセスするＵＲＬ（Uniform Resource Locator）に含まれるホスト名またはドメイン名についての名前解決要求を無線ＬＡＮルータ１１００に送信する。
【００５２】
名前解決要求に応じて、ステップＳ１１０１で、無線ＬＡＮルータ１１００は、自機で名前解決を試み、名前解決できない場合は、上位のＤＮＳ（Domain Name System）サーバに問合せるなどして、名前解決をし、結果としてのＩＰアドレスを含む情報を、名前解決要求の送信元の携帯端末３００に返信する。
【００５３】
次に、ステップＳ１３０２で、携帯端末３００は、ウェブブラウザの機能によって、無線ＬＡＮルータ１１００からの情報に含まれるＩＰアドレスが示すウェブサーバ１２００に、ＴＣＰ（Transmission Control Protocol）での接続の開始を要求するためのＴＣＰ接続開始要求を送信する。
【００５４】
ステップＳ１２０１で、ウェブサーバ１２００は、ＴＣＰ接続開始要求に応じて、ＴＣＰでの接続を開始する旨のＴＣＰ接続オープン応答を、ＴＣＰ接続開始要求の送信元の携帯端末３００に送信する。これにより、携帯端末３００とウェブサーバ１２００との間でＴＣＰ／ＩＰでの通信が可能となる。
【００５５】
そして、ステップＳ１３０３で、携帯端末３００は、ウェブブラウザの機能によって、前述のＵＲＬに含まれるパス名で示される情報を取得する要求であるＨＴＴＰ（HyperText Transfer Protocol）リクエスト（ここでは、ＨＴＴＰリクエスト＃１）を、接続中のウェブサーバ１２００に送信する。
【００５６】
ステップＳ１２０３で、ウェブサーバ１２００は、ＨＴＴＰリクエストを解析し、要求に応じた情報をＨＴＴＰレスポンス（ここでは、ＨＴＴＰリクエスト＃１に対応するＨＴＴＰレスポンス＃１）として、要求元の携帯端末３００に送信する。
【００５７】
携帯端末３００は、ウェブサーバ１２００からのＨＴＴＰレスポンスを解析し、解析された情報をディスプレイに表示したり、音声出力したりする。以後、携帯端末３００とウェブサーバ１２００との接続が切断されるまで、ＨＴＴＰリクエストおよびＨＴＴＰレスポンスが繰返される。
【００５８】
このように、従来は、携帯端末３００などのクライアントからの要求に応じたウェブサーバ１２００から所定の情報が、無線ＬＡＮルータ１１００を介して取得され、携帯端末３００で出力される。
【００５９】
図５は、第１の実施の形態における店舗２０内のユーザ（ここでは客３０）の携帯端末３００でウェブページを表示させる場合の携帯端末３００、無線ＬＡＮルータ１００および店舗サーバ２００の通信のシーケンスを示す図である。
【００６０】
図５を参照して、この実施の形態においては、まず、ステップＳ３０１で、携帯端末３００は、ウェブブラウザの機能によって、アクセスするＵＲＬ（Uniform Resource Locator）に含まれるホスト名またはドメイン名についての名前解決要求を無線ＬＡＮルータ１００に送信する。
【００６１】
名前解決要求に応じて、ステップＳ１０１で、無線ＬＡＮルータ１００は、予め設定された固定の店舗サーバ２００のＩＰアドレスを含む情報を、名前解決要求の送信元の携帯端末３００に返信する。
【００６２】
次に、ステップＳ３０２で、携帯端末３００は、ウェブブラウザの機能によって、無線ＬＡＮルータ１００からの情報に含まれるＩＰアドレスが示す店舗サーバ２００に、ＴＣＰ（Transmission Control Protocol）での接続の開始を要求するためのＴＣＰ接続開始要求を送信する。
【００６３】
ステップＳ２０１で、店舗サーバ２００は、ＴＣＰ接続開始要求に応じて、ＴＣＰでの接続を開始する旨のＴＣＰ接続オープン応答を、ＴＣＰ接続開始要求の送信元の携帯端末３００に送信する。これにより、携帯端末３００と店舗サーバ２００との間でＴＣＰ／ＩＰでの通信が可能となる。
【００６４】
そして、ステップＳ３０３で、携帯端末３００は、ウェブブラウザの機能によって、前述のＵＲＬに含まれるパス名で示される情報を取得する要求であるＨＴＴＰ（HyperText Transfer Protocol）リクエスト（ここでは、ＨＴＴＰリクエスト＃１）を、接続中の店舗サーバ２００に送信する。
【００６５】
ステップＳ２０２で、店舗サーバ２００は、要求されたＵＲＬの情報とは無関係に、固定のコンテンツ（ここでは、店舗２０の広告情報、チラシ情報および売場情報など）を含む店舗２０のウェブページへのリダイレクト指示をＨＴＴＰレスポンスとして、要求元の携帯端末３００に送信する。
【００６６】
携帯端末３００は、ウェブブラウザの機能によって、ＨＴＴＰレスポンスを解析し、ステップＳ３０４で、要求していたＵＲＬから変更されて、リダイレクトされた店舗サーバ２００のＵＲＬのコンテンツを取得するＨＴＴＰリクエスト（ここでは、ＨＴＴＰリクエスト＃１’）を、接続中の店舗サーバ２００に送信する。
【００６７】
店舗サーバ２００は、ＨＴＴＰリクエストを解析し、ステップＳ２０３で、要求に応じた情報をＨＴＴＰレスポンス（ここでは、ＨＴＴＰリクエスト＃１’に対応するＨＴＴＰレスポンス＃１’）として、要求元の携帯端末３００に送信する。携帯端末３００は、店舗サーバ２００からのＨＴＴＰレスポンスを解析し、解析された情報をディスプレイに表示したり、音声出力したりする。以後、携帯端末３００と店舗サーバ２００との接続が切断されるまで、ＨＴＴＰリクエストおよびＨＴＴＰレスポンスが繰返される。
【００６８】
このように、この実施の形態においては、携帯端末３００などのクライアントからの要求とは無関係に、特定の情報（店舗２０の広告情報、チラシ情報および売場情報など）を含む特定ウェブページに誘導され、店舗サーバ２００から特定の情報が、無線ＬＡＮルータ１００を介して取得され、携帯端末３００で出力される。
【００６９】
なお、特定の情報に誘導する方法は、図５で説明した方法に限定されず、他の方法であってもよい。
【００７０】
無線ＬＡＮルータ１００において、ステップＳ１０１で送信される情報に含まれる店舗サーバ２００のＩＰアドレスは、変更して設定することが可能なように構成される。
【００７１】
また、無線ＬＡＮルータ１００において、ステップＳ１０１で固定の店舗サーバ２００のＩＰアドレスを含む情報を送信するのを、携帯端末３００からのＵＲＬに含まれるホスト名またはドメイン名が、特定のホスト名またはドメイン名である場合に限定してもよい。
【００７２】
この特定のホスト名またはドメイン名を、変更して設定することが可能なように構成してもよい。この場合に、特定のホスト名またはドメイン名を、ワイルドカードまたは正規表現で、まとめて設定可能なようにすることが好ましい。
【００７３】
［第２の実施の形態］
図６は、第２の実施の形態における店舗情報提供システムに含まれる機器のＩＰアドレスの例を示す図である。図６を参照して、店舗情報提供システム１０は、第１の実施の形態の図１で説明したのと同様、無線ＬＡＮルータ１００と、店舗サーバ２００とを含む。
【００７４】
第１の実施の形態においては、無線ＬＡＮルータ１００は、要求に応じたサーバまでの経路制御を行なうようにした。しかし、第２の実施の形態においては、無線ＬＡＮルータ１００は、単に、上位ルータとしての店舗サーバ２００までの経路制御を行なう。そして、第２の実施の形態においては、店舗サーバ２００が、外部のルータおよびサーバなどへの経路制御を行なう。
【００７５】
このため、第２の実施の形態においては、店舗サーバ２００の無線ＬＡＮルータ１００の側、ならびに、無線ＬＡＮルータ１００の店舗サーバ２００の側および携帯端末３００の側、ならびに、携帯端末３００の無線ＬＡＮルータ１００の側には、それぞれ、店舗サーバ２００のＬＡＮ側（つまり、無線ＬＡＮルータ１００、および、携帯端末３００の側）でのみ通用するプライベートＩＰアドレスが割り当てられる。
【００７６】
たとえば、店舗サーバ２００の無線ＬＡＮルータ１００の側、ならびに、無線ＬＡＮルータ１００の店舗サーバ２００の側および携帯端末３００の側、ならびに、携帯端末３００の無線ＬＡＮルータ１００の側に、それぞれ、１０．１．１．２、ならびに、１０．１．１．１および１９２．１６８．１１．１、ならびに、１９２．１６８．１１．２〜２０２が割り当てられる。なお、割り当てられるプライベートＩＰアドレスは、プライベートＩＰアドレス用として予約されているアドレス空間に含まれるアドレスであれば、他のアドレスであってもよい。
【００７７】
また、店舗サーバ２００のＷＡＮ（Wide Area Network）側のＩＰアドレスは、ＤＨＣＰ（Dynamic Host Configuration Protocol）に従って、アクセスポイント９１０によって割り当てられる。
【００７８】
図７は、第２の実施の形態における店舗内のユーザの携帯端末３００でウェブページを表示させる場合の携帯端末３００、無線ＬＡＮルータ１００および店舗サーバ２００の通信のシーケンスを示す図である。
【００７９】
図７を参照して、この実施の形態においては、まず、ステップＳ３１１で、携帯端末３００は、ウェブブラウザの機能によって、アクセスするＵＲＬに含まれるホスト名またはドメイン名についての名前解決要求を店舗サーバ２００に送信する。
【００８０】
名前解決要求に応じて、ステップＳ２１０で、店舗サーバ２００は、予め設定された固定の店舗サーバ２００のＩＰアドレスを含む情報を、名前解決要求の送信元の携帯端末３００に返信する。
【００８１】
次に、ステップＳ３１２で、携帯端末３００は、ウェブブラウザの機能によって、店舗サーバ２００からの情報に含まれるＩＰアドレスが示す店舗サーバ２００に、ＴＣＰでの接続の開始を要求するためのＴＣＰ接続開始要求を送信する。
【００８２】
ステップＳ２１１で、店舗サーバ２００は、ＴＣＰ接続開始要求に応じて、ＴＣＰでの接続を開始する旨のＴＣＰ接続オープン応答を、ＴＣＰ接続開始要求の送信元の携帯端末３００に送信する。これにより、携帯端末３００と店舗サーバ２００との間でＴＣＰ／ＩＰでの通信が可能となる。
【００８３】
ステップＳ３１３以降は、第１の実施の形態の図５のステップＳ３０３以降と同様であるので、重複する説明は繰返さない。
【００８４】
このように、第２の実施の形態においては、第１の実施の形態と同様、携帯端末３００などのクライアントからの要求とは無関係に、特定の情報（店舗２０の広告情報、チラシ情報および売場情報など）を含む特定ウェブページに誘導し、店舗サーバ２００から特定の情報が、無線ＬＡＮルータ１００を介して取得され、携帯端末３００で出力される。
【００８５】
ただし、携帯端末３００からの名前解決要求に対する処理を、第１の実施の形態においては、無線ＬＡＮルータ１００で行なうようにしたが、第２の実施の形態においては、店舗サーバ２００で行なうようにする。
【００８６】
なお、特定の情報に誘導する方法は、図７で説明した方法に限定されず、他の方法であってもよい。
【００８７】
店舗サーバ２００において、ステップＳ２１０で送信される情報に含まれる店舗サーバ２００のＩＰアドレスは、変更して設定することが可能なように構成される。
【００８８】
また、店舗サーバ２００において、ステップＳ２１０で固定の店舗サーバ２００のＩＰアドレスを含む情報を送信するのを、携帯端末３００からのＵＲＬに含まれるホスト名またはドメイン名が、特定のホスト名またはドメイン名である場合に限定してもよい。
【００８９】
この特定のホスト名またはドメイン名を、変更して設定することが可能なように構成してもよい。この場合に、特定のホスト名またはドメイン名を、ワイルドカードまたは正規表現で、まとめて設定可能なようにすることが好ましい。
【００９０】
［実施例］
図８は、従来の音楽試聴システムを示す外観図である。図８を参照して、音楽ソフト販売店などに設置されている従来の音楽視聴システム１０１０では、客が、掲示されている数曲（図８においては、６曲）の中から視聴したい曲を選択して、ヘッドフォン１１９０を用いて、選択した曲を視聴することができる。
【００９１】
このような従来の音楽視聴システム１０１０では、視聴できる曲数が少なく、機械のところまで行かなければ視聴できないといった問題があった。
【００９２】
図９は、この発明の実施の形態の店舗情報提供システム１０の実施例を示す図である。図９を参照して、店舗サーバ２００には、ウェブページとして、視聴可能な曲のリスト（たとえば、ヒットチャート）を示すページ、ならびに、ヒットチャートに含まれる曲それぞれの情報およびその曲を視聴するためのボタンを含むページ、ならびに、ヒットチャートに含まれる曲それぞれを再生するとともにその曲を視聴中である旨の画面を含むページが、予め記憶される。
【００９３】
客３０は、店舗２０に入店して、携帯端末３００で、アクセス可能なアクセスポイントのうちから当該店舗２０が提供しているＷｉ−Ｆｉネットワークのアクセスポイントを選択し、ブラウザを起動する。
【００９４】
すると、携帯端末３００のブラウザでどのようなＵＲＬが入力されたとしても、第１の実施の形態および第２の実施の形態で説明した誘導方法によって、店舗サーバ２００に記憶されているウェブページのトップページ（たとえば、ヒットチャートを示すウェブページ）に誘導される。
【００９５】
そのトップページでのリンクの選択に応じてリンク先のウェブページ（たとえば、ヒットチャートのうちから選択された曲の情報およびその曲を視聴するためのボタンを含むページ、ならびに、視聴するためのボタンが押された曲を再生するとともにその曲を視聴中である旨の画面を含むページなど）が携帯端末３００に表示される。
【００９６】
なお、携帯端末３００で再生される曲は、携帯端末３００のイヤホン端子、または、スピーカから出力される。
【００９７】
このように、店舗情報提供システム１０によって、店舗２０の内部において、携帯端末３００で、音楽または映像などのソフトウェアを視聴可能とすることができる。
【００９８】
また、アクセスポイントである無線ＬＡＮルータ１００へのアクセスを無料とすれば、従来と同様、無料で、音楽または映像などのソフトウェアを視聴可能とすることができる。
【００９９】
［実施の形態の変形例］
図１０は、この発明の実施の形態の変形例における店舗情報提供システムの概略を示す図である。図１０を参照して、インターネット９００と店舗サーバ２００との接続は、アクセスポイント９１０を介した接続であってもよい。
【０１００】
また、サイネージ管理サーバ５００から店舗サーバ２００を介して、広告情報などを表示可能なデジタルサイネージ６１０、または、広告情報などを表示可能であるとともに広告の音声を出力することも可能なサウンドサイネージ６２０に送信された情報が、デジタルサイネージ６１０またはサウンドサイネージ６２０で表示されるようにしてもよい。
【０１０１】
このように、店舗サーバ２００がインターネット９００に接続されているため、サイネージ管理サーバ５００からのインターネット９００を介した店舗２０の広告情報の提供を、リアルタイムに行なうことができる。また、広告情報を表示することによって、店舗２０の商品の付加価値を客３０に訴えることができる。また、広告の音声を出力するで、より効率的な商品の案内をすることができる。
【０１０２】
また、非接触式ＩＣチップリーダ７００を店舗サーバ２００に接続することで、店舗サーバ２００およびインターネット９００を介して、会員登録システムおよび来店クーポン管理システムなどと接続するようにする。これにより、客３０が携帯端末３００に搭載された非接触式ＩＣチップを非接触式ＩＣチップリーダ７００にかざすことで、客３０を会員登録させたり、客３０にクーポンを発行したりすることができる。その結果、客３０への店舗２０の販売促進の幅を広げることができる。
【０１０３】
［店舗情報提供システム１０の第１の適用例］
図１１は、この発明の実施の形態の店舗情報提供システム１０の第１の適用例を示す図である。図１１を参照して、前述した実施の形態においては、店舗サーバ２００に蓄積される広告情報、チラシ情報および売場情報などの販売促進のための情報は、店舗提供情報管理サーバ４００によって更新されるようにした。しかし、店舗２０の店長５０などが、直接、店舗サーバ２００のこれらの販売促進のための情報を更新できるようにしてもよい。
【０１０４】
また、店舗２０のＳＮＳ（Social Network Service）ページにおいて、小売業の本部７０の担当者６０から返信された販売促進情報のコメントで、店舗サーバ２００に蓄積される情報を更新するようにしてもよい。
【０１０５】
また、店舗２０のミニブログのアカウントにおいて、小売業の本部７０の担当者６０から投稿された販売促進情報で、店舗サーバ２００に蓄積される情報を更新するようにしてもよい。
【０１０６】
さらに、店舗２０のメールマガジンおよびホームページにおいて、小売業の本部７０の担当者６０によって、発行されたメールマガジンの内容およびホームページの更新内容などで、店舗サーバ２００に蓄積される情報を更新するようにしてもよい。
【０１０７】
また、店舗サーバ２００が、客３０の携帯端末３００に、広告情報、チラシ情報および売場情報などのお買得情報を提供するだけでなく、店舗２０の外でも、当該店舗２０の情報を閲覧可能とするためのアプリケーションソフトをダウンロードするようにしてもよい。
【０１０８】
これにより、客３０は、退店後に、店舗２０に設置された無線ＬＡＮルータ１００の電波の届かない家庭や外出先でも、当該アプリケーションソフトを実行することで、他のアクセス手段を介して、店舗２０の情報を客３０の携帯端末３００で表示させることを可能とすることができる。
【０１０９】
また、このような客３０を会員化することによって、ＳＮＳページへの「いいね！」といったコメントの内容、および、ミニブログへのフォローや再投稿の内容で、店舗サーバ２００に蓄積される情報を更新するようにしてもよい。
【０１１０】
また、会員化された客３０に、前述のメールマガジンを配信したり、ホームページの更新情報を案内してホームページを閲覧してもらうようにしてもよい。
【０１１１】
このように、店舗情報提供システム１０を用いることによって、個々の客３０に向けた、より密で嗜好性の高い双方向の販売促進を実現可能な接客ツールを提供することができる。
【０１１２】
［店舗情報提供システム１０の第２の適用例］
図１２は、この発明の実施の形態の店舗情報提供システム１０の第２の適用例を示す図である。図１２を参照して、店舗サーバ２００を、店舗２０だけでなく、集合スポット（原宿、お台場、新宿など）および大学キャンパス等に設置するようにして、前述の店舗の提供情報としてのホームページから、スマートフォンなどの携帯端末３００のアプリケーションソフトをダウンロードさせるようにする。これにより、ユーザとのファーストコンタクトを図ることができる。
【０１１３】
これにより、アプリケーションソフトから事前会員登録システム８１０を用いてユーザを会員登録させることができる。事前会員登録システム８１０からは、バックヤードシステム８２０およびＶＰＮ（Virtual Private Network）８９０（たとえば、ＩＰ−ＶＰＮ）を介して会員管理基幹システム８３０に会員情報（名前、性別、生年月日、郵便番号、住所、電話番号、会員番号、および、ポイントなど）が登録される。これにより、ユーザとのメンバーシップを図ることができる。
【０１１４】
そして、バックヤードシステム８２０から、前述した店舗２０のミニブログの公式アカウントに、自動的にフォローを入れたり、ＳＮＳページに、好印象である旨のコメントを入力するための「いいね！」ボタンの入力を自動的にしたり、手動でフォローボタンを押したり、メールマガジンを配信したりする。
【０１１５】
また、動画サイトに店舗２０の公式チャンネルを開設し、バックヤードシステム８２０から、自動的に動画をアップロードするようにし、アップロードされたことを通知するための公開通知を、ミニブログのアカウント、ＳＮＳページおよびメールマガジンなどに掲載するようにする。
【０１１６】
また、ミニブログのアカウント、ＳＮＳページおよびメールマガジンに、店舗２０のウェブサイトへの誘導のためのリンクを貼付けて、当該ウェブサイトからスマートフォンなどの携帯端末３００のアプリケーションソフトをダウンロードさせるようにしたり、ミニブログのアカウント、ＳＮＳページおよびメールマガジンから、直接、スマートフォンなどの携帯端末３００のアプリケーションソフトをダウンロードさせるようにしたりする。これにより、口コミで、店舗の客３０を増加させることができる。
【０１１７】
なお、店舗サーバ２００は、前述したように、デジタルサイネージ６１０およびサウンドサイネージ６２０へ表示する情報をサイネージ管理サーバ５００から取得したり、また、複合機７５０で、広告情報を印刷することによる無料印刷サービスを提供したりすることができる。
【０１１８】
［第３の実施の形態］
第１の実施の形態および第２の実施の形態においては、携帯端末３００からのサーバのホスト名またはドメイン名を指定した名前解決要求により指定されたホスト名またはドメイン名とは無関係に、特定の情報を含む店舗２０のウェブページに誘導されるようにした。
【０１１９】
第３の実施の形態においては、携帯端末３００からのサーバのホスト名またはドメイン名が特定のホスト名またはドメイン名であるか否かの判断結果に応じて、特定の情報を含む店舗２０のウェブページに誘導されるようにする。
【０１２０】
第３の実施の形態における店舗情報提供システム１０は、第１の実施の形態の図１および第２の実施の形態の図６で説明したのと同様、無線ＬＡＮルータ１００と、店舗サーバ２００とを含む。また、第３の実施の形態においては、第２の実施の形態と同様、無線ＬＡＮルータ１００は、単に、上位ルータとしての店舗サーバ２００までの経路制御を行なう。そして、店舗サーバ２００が、外部のルータおよびサーバなどへの経路制御を行なう。
【０１２１】
図１３は、第３の実施の形態における店舗内の客３０の携帯端末３００で表示されるウェブページの画面の遷移を示す図である。図１４は、第３の実施の形態における店舗２０内の携帯端末３００でウェブページを表示させる場合の携帯端末３００および店舗サーバ２００の通信のシーケンスを示す第１の図である。図１５は、第３の実施の形態における店舗２０内の携帯端末３００でウェブページを表示させる場合の携帯端末３００および店舗サーバ２００の通信のシーケンスを示す第２の図である。
【０１２２】
図１３から図１５を参照して、客３０が店舗２０に入店し、携帯端末３００で店舗２０のＷｉ−Ｆｉネットワークが検出された旨が、携帯端末３００のディスプレイに表示されたりして、客３０に通知される。客３０が当該Ｗｉ−Ｆｉネットワークへの接続のための操作をすると、店舗２０の無線ＬＡＮルータ１００を介して店舗２０のＷｉ−Ｆｉネットワークに接続される。このときに、無線ＬＡＮルータ１００は、携帯端末３００にＤＨＣＰでＩＰアドレスを割当てるとともに、ＤＮＳサーバとして店舗サーバ２００を使用するように携帯端末３００に通知する。これにより、携帯端末３００が、ウェブアクセスする際に、店舗サーバ２００に名前解決要求を行なうよう設定される。
【０１２３】
通常の携帯端末３００では、ホームページまたはポータルサイトのウェブページにアクセスするように設定されている。このため、図１４のステップＳ３２１および図１５のステップＳ３３１で示すように、携帯端末３００は、そのようなホームページまたはポータルサイトのウェブページのＵＲＬに含まれるホスト名またはドメイン名についての名前解決要求を、上述のＤＮＳサーバの設定に従って、無線ＬＡＮルータ１００を介してＤＮＳサーバとしての店舗サーバ２００に送信する。
【０１２４】
店舗サーバ２００は、名前解決要求で示されるホスト名またはドメイン名が、「許可された名前」であるか否かを判断する。「許可された名前」は、店舗２０がアクセスを認めるホスト名またはドメイン名として、店舗ごとに予め、１つまたは複数、設定される。
【０１２５】
通常は、そのようなホームページまたはポータルサイトなどの店舗２０に関係のない外部のウェブページのＵＲＬに含まれるホスト名またはドメイン名は、「許可された名前」として設定されていない。このため、店舗サーバ２００は、そのホスト名またはドメイン名を「未許可の名前」と判断する。この場合、図１４のステップＳ２２０で、店舗サーバ２００は、強制的に、予め設定された固定の店舗サーバ２００のＩＰアドレスを含む情報を、名前解決要求の送信元の携帯端末３００に返信する。
【０１２６】
次に、ステップＳ３２２で、携帯端末３００は、ウェブブラウザの機能によって、店舗サーバ２００からの情報に含まれるＩＰアドレスが示す店舗サーバ２００に、ＴＣＰでの接続の開始を要求するためのＴＣＰ接続開始要求を送信する。
【０１２７】
ステップＳ２２１で、店舗サーバ２００は、ＴＣＰ接続開始要求に応じて、ＴＣＰでの接続を開始する旨のＴＣＰ接続オープン応答を、ＴＣＰ接続開始要求の送信元の携帯端末３００に送信する。これにより、携帯端末３００と店舗サーバ２００との間でＴＣＰ／ＩＰでの通信が可能となる。
【０１２８】
そして、ステップＳ３２３で、携帯端末３００は、ウェブブラウザの機能によって、前述のＵＲＬに含まれるパス名で示される情報を取得する要求であるＨＴＴＰリクエスト（ここでは、ＨＴＴＰリクエスト＃１）を、接続中の店舗サーバ２００に送信する。
【０１２９】
ステップＳ２２２で、店舗サーバ２００は、要求されたＵＲＬの情報とは無関係に、固定のコンテンツ（ここでは、図１３（Ａ）で示すような店舗２０のローカルページの情報など）を含む店舗２０のウェブページへのリダイレクト指示をＨＴＴＰレスポンスとして、要求元の携帯端末３００に送信する。
【０１３０】
携帯端末３００は、ウェブブラウザの機能によって、ＨＴＴＰレスポンスを解析し、ステップＳ３２４で、要求していたＵＲＬから変更されて、リダイレクトされた店舗サーバ２００のＵＲＬのコンテンツを取得するＨＴＴＰリクエスト（ここでは、ＨＴＴＰリクエスト＃１’）を、接続中の店舗サーバ２００に送信する。
【０１３１】
店舗サーバ２００は、ＨＴＴＰリクエストを解析し、ステップＳ２２３で、要求に応じた情報をＨＴＴＰレスポンス（ここでは、図１３（Ａ）のウェブページを表示させるためのＨＴＴＰリクエスト＃１’に対応するＨＴＴＰレスポンス＃１’）として、要求元の携帯端末３００に送信する。図１３（Ａ）のウェブページを表示させるための情報は、店舗サーバ２００に記憶される。
【０１３２】
携帯端末３００は、店舗サーバ２００からのＨＴＴＰレスポンスを解析し、解析された情報をディスプレイに表示したり、音声出力したりする。ここでは、図１３（Ａ）で示すウェブページが携帯端末３００のディスプレイに表示される。以後、携帯端末３００と店舗サーバ２００との接続が切断されるまで、ＨＴＴＰリクエストおよびＨＴＴＰレスポンスが繰返される。
【０１３３】
このように、「未許可の名前」のホスト名またはドメイン名への接続が要求された場合は、携帯端末３００などのクライアントからの要求とは無関係に、特定の情報（図１３（Ａ）で示すような店舗２０のローカルページの情報など）を含む特定ウェブページに誘導され、店舗サーバ２００から特定の情報が取得され、携帯端末３００で出力される。
【０１３４】
なお、特定の情報に誘導する方法は、図１４で説明した方法に限定されず、他の方法であってもよい。
【０１３５】
図１３（Ａ）で示すウェブページなどで「オンラインストア」といったリンクが選択されたり、「Ａキャリア（通信事業者Ａ）アプリダウンロード」といったリンクが選択されることで表示される図１３（Ｃ）で示すようなダウンロードするためのアプリケーションを選択するポップアップ表示でアプリケーションが選択されたり、テキストボックスなどで直接、ＵＲＬが入力されたりすることで、携帯端末３００で、ＵＲＬが指定される。
【０１３６】
携帯端末３００は、そのように指定されたＵＲＬに含まれるホスト名またはドメイン名についての名前解決要求を、無線ＬＡＮルータ１００を介して店舗サーバ２００に送信する。
【０１３７】
前述したように、店舗サーバ２００は、名前解決要求で示されるホスト名またはドメイン名が、「許可された名前」であるか否かを判断する。ここでは、図１３（Ａ）のような特定のウェブページにおけるリンクに基づくＵＲＬのホスト名またはドメイン名（ここでは、許可サーバ４５０のホスト名またはドメイン名）は、「許可された名前」として予め設定される。アクセスを認める他の名前（たとえば、他のサーバのホスト名またはドメイン名）が「許可された名前」として予め設定されているようにしてもよい。また、許可サーバ４５０は、ここでは、店舗２０の外部のサーバであるが、店舗２０の内部に設置されるサーバであってもよい。
【０１３８】
店舗サーバ２００は、図１３（Ａ）のようなページにおけるリンクに基づくホスト名またはドメイン名を、「許可された名前」と判断する。この場合、店舗サーバ２００は、名前解決できる場合は、店舗サーバ２００自体で名前解決し、名前解決できない場合は、指定されたＵＲＬに対応するＩＰアドレスを、上位ＤＮＳサーバ６００に確認し、図１５のステップＳ２３０で、正規の当該ＩＰアドレスを含む情報を、名前解決要求の送信元の携帯端末３００に返信する。
【０１３９】
以後の当該ＩＰアドレスに対する通信においては、店舗サーバ２００は、ルータとして機能し、ＵＲＬの書換えなどは行なわない。これにより、○○商事のオンラインストアの図１３（Ｂ）で示すような○○商事の許可サーバ４５０に記憶されているウェブページ、または、Ａキャリアの携帯端末３００の○○商事のアプリをダウンロードするための図１３（Ｄ）で示すようなＡキャリアのダウンロードサイトとしての許可サーバ４５０に記憶されているウェブページが、携帯端末３００で表示される。
【０１４０】
このように、「許可された名前」のホスト名またはドメイン名への接続が要求された場合は、当該ホスト名またはドメイン名のウェブページに誘導され、当該ウェブページの情報が取得され、携帯端末３００で出力される。
【０１４１】
［まとめ］
（１）  以上、説明したように、図１で示したように、この実施の形態のシステムは、携帯端末３００と携帯端末３００と通信可能な店舗情報提供システム１０とを含む。図５のステップＳ３０１、図７のステップＳ３１１、図１４のステップＳ３２１および図１５のステップＳ３３１で示したように、携帯端末３００は、店舗情報提供システム１０に対して、サーバのホスト名またはドメイン名を指定した名前解決要求をする接続要求部を備える。図５のステップＳ１０１，ステップＳ２０１，ステップＳ２０２、図７のステップＳ２１０，ステップＳ２１１，ステップＳ２１２、図１４のステップＳ２２０，ステップＳ２２１，ステップＳ２２２、および、図１５のステップＳ２３０，ステップＳ２３１で示したように、店舗情報提供システム１０は、携帯端末３００からの名前解決要求を受信する受信部と、受信部によって受信された名前解決要求に応じて、特定の情報（たとえば、店舗２０の情報、視聴用の楽曲、または、店舗２０のローカルページの情報など）を含む店舗２０のウェブページに誘導する誘導部とを備える。図３（Ｂ）〜図３（Ｄ）、図９および図１３（Ａ）で示したように、携帯端末３００は、誘導部によって誘導された店舗２０のウェブページに含まれる特定の情報（たとえば、店舗２０の情報、視聴用の楽曲、または、店舗２０のローカルページの情報）を出力する部分（たとえば、ディスプレイ、スピーカまたはイヤホン端子）を備える。
【０１４２】
このような構成によれば、携帯端末３００によって、店舗情報提供システム１０に対して、ホスト名またはドメイン名を指定した名前解決要求がされる。店舗情報提供システム１０によって、携帯端末３００から受信された名前解決要求に応じて、店舗２０の情報を含む店舗２０のウェブページに誘導される。携帯端末３００によって、誘導された店舗２０のウェブページに含まれる特定の情報が出力される。このため、特定の情報を携帯端末３００で出力させて客３０に示すことが可能なシステムを提供することができる。
【０１４３】
また、前述の図２（Ｂ）で示したように、無線ＬＡＮルータ１００のＳＳＩＤを選択するだけで、特定の情報を携帯端末３００で出力させることができる。このため、客３０の操作をできる限り減らすことができる。
【０１４４】
さらに、近年、手間ひまを掛けて作った折込チラシが、新聞の発行部数の低下に伴ない、消費者に届かないといった問題が発生してきている。特に、食品を扱う店舗などの主要な顧客である３０代から５０代の女性の新聞購読率が、年々、減少している。
【０１４５】
一方、携帯端末３００、とりわけ、スマートフォンの所有率は、益々、増加している。また、夕食のメニューを決めるタイミングについては、店頭で決めるといった割合が最も高くなっている。さらに、店内でのお店からの品物のお奨めコメントおよび食材の利用シーンの表示などの店舗からの提案が、購買する商品を変更するきっかけとなる割合が高いといった統計もでている。
【０１４６】
このため、この実施の形態のように、携帯端末３００で特定の情報などを出力させることが、今後は、必須かつ効率的となり、店頭で積極的に客３０とコミュニケーションを図ることで、購買意識の操作および後押しに繋げることができる。
【０１４７】
（２）  図５のステップＳ１０１，ステップＳ２０１，ステップＳ２０２、および、図７のステップＳ２１０，ステップＳ２１１，ステップＳ２１２で示したように、誘導部は、名前解決要求により指定されたホスト名またはドメイン名とは無関係に、店舗２０のウェブページに誘導する。
【０１４８】
このような構成によれば、店舗情報提供システム１０によって、携帯端末３００から受信された名前解決要求に応じて、該名前解決要求により指定されたホスト名またはドメイン名とは無関係に、店舗２０のウェブページに誘導される。このため、どのようなホスト名またはドメイン名のサーバとの接続を要求する接続要求があったとしても、特定の情報を客３０に示すことができる。
【０１４９】
（３）  図１４のステップＳ２２０，ステップＳ２２１，ステップＳ２２２、および、図１５のステップＳ２３０，ステップＳ２３１で示したように、店舗情報提供システム１０は、さらに、受信部によって受信された名前解決要求で示されるホスト名またはドメイン名が「許可された名前」であるか否かを判断する判断部を備える。図１４のステップＳ２２０，ステップＳ２２１，ステップＳ２２２で示したように、誘導部は、判断部によって判断された判断結果に応じて、店舗２０のウェブページに誘導する。
【０１５０】
このような構成によれば、店舗情報提供システム１０によって、名前解決要求で示されるホスト名またはドメイン名が「許可された名前」であるか否かが判断され、その判断結果に応じて、店舗２０のウェブページに誘導される。このため、「許可された名前」の許可サーバ４５０への接続要求か否かに応じて、特定の情報を客３０に示すことができる。
【０１５１】
（４）  図１４のステップＳ２２０，ステップＳ２２１，ステップＳ２２２で示したように、誘導部は、判断部によって名前解決要求で示されるホスト名またはドメイン名が「許可された名前」でないと判断された場合は、店舗２０のウェブページに誘導する。
【０１５２】
このような構成によれば、店舗情報提供システム１０によって、名前解決要求で示されるホスト名またはドメイン名が「許可された名前」でないと判断された場合は、店舗２０のウェブページに誘導される。このため、「許可された名前」の許可サーバ４５０への接続要求でない場合に、特定の情報を客３０に示すことができる。
【０１５３】
（５）  図１５のステップＳ２３０，ステップＳ２３１で示したように、誘導部は、判断部によって名前解決要求で示されるホスト名またはドメイン名が「許可された名前」であると判断された場合は、「許可された名前」の許可サーバ４５０のウェブページに誘導する。図１３（Ｂ）および図１３（Ｄ）で示したように、携帯端末３００の出力する部分は、許可サーバ４５０のウェブページに含まれる情報を出力する。
【０１５４】
このような構成によれば、店舗情報提供システム１０によって、名前解決要求で示されるホスト名またはドメイン名が「許可された名前」であると判断された場合は、「許可された名前」の許可サーバ４５０のウェブページに誘導され、携帯端末３００によって、許可サーバ４５０のウェブページに含まれる情報が出力される。このため、許可サーバ４５０への接続要求である場合に、許可サーバ４５０に記憶されたウェブページの情報をユーザに示すことができる。
【０１５５】
（６）  図５のステップＳ１０１、図７のステップＳ２１０、図１４のステップＳ２２０で示したように、誘導部は、名前解決要求に応じて、店舗２０のウェブページに誘導させるための応答を当該携帯端末３００に返す応答部を含む。図５のステップＳ３０２、図７のステップＳ３１２、および、図１４のステップＳ３２２で示したように、携帯端末３００は、さらに、店舗情報提供システム１０からの応答に応じて、店舗２０のウェブページにアクセスするためのアクセス要求をするアクセス要求部を備える。図５のステップＳ２０２〜ステップＳ２０９、図７のステップＳ２１２〜ステップＳ２１９、図１４のステップＳ２２２〜ステップＳ２２９で示したように、誘導部は、さらに、携帯端末３００からのアクセス要求に応じて、店舗２０のウェブページを表示させるための情報を送信する送信部を含む。図３（Ｂ）〜図３（Ｄ）、図９および図１３（Ａ）で示したように、ディスプレイは、店舗情報提供システム１０からのウェブページの情報に含まれる特定の情報（たとえば、店舗２０の情報、視聴用の楽曲、または、店舗２０のローカルページの情報）を出力する。
【０１５６】
このような構成によれば、店舗情報提供システム１０によって、名前解決要求に応じて、店舗２０のウェブページに誘導させるための応答が当該携帯端末３００に返される。携帯端末３００によって、店舗情報提供システム１０からの応答に応じて、店舗２０のウェブページにアクセスするためのアクセス要求がされる。店舗情報提供システム１０によって、携帯端末３００からのアクセス要求に応じて、店舗２０のウェブページを表示させるための情報が送信される。携帯端末３００によって、店舗情報提供システム１０からのウェブページの情報に含まれる特定の情報が出力される。このため、店舗２０のウェブページの特定の情報を携帯端末３００で出力させることができる。
【０１５７】
（７）  店舗情報提供システム１０は、無線ＬＡＮルータ１００と店舗サーバ２００とを備える。または、店舗情報提供システム１０は、ルータ機能を含む店舗サーバ２００を備える。無線ＬＡＮルータ１００または店舗サーバ２００に含まれるルータ機能は、前述の応答部を備える。店舗サーバ２００は、前述の送信部を備える。
【０１５８】
このような構成のうち、無線ＬＡＮルータ１００と店舗サーバ２００とを別体で設ける場合は、無線ＬＡＮルータ１００では無線ＬＡＮルータ１００の機能を担うことができ、店舗サーバ２００では店舗サーバ２００の機能を担うことができる。このように機能を分散させることで、たとえば、無線ＬＡＮルータ１００を複数設けたりして、システム構成の自由度を高めることができる。
【０１５９】
（８）  接続要求部は、所定のドメイン名または所定のホスト名を指定した名前解決要求をする。応答部は、名前解決要求で指定される所定のドメイン名または所定のホスト名に応じたＩＰアドレスとは無関係に、前述の店舗サーバ２００のＩＰアドレスを含む応答を返す。アクセス要求部は、店舗サーバ２００のＩＰアドレスに対してアクセス要求をする。
【０１６０】
このような構成によれば、携帯端末３００によって、所定のドメイン名または所定のホスト名を指定した名前解決要求がされる。無線ＬＡＮルータ１００によって、名前解決要求で指定される所定のドメイン名または所定のホスト名に応じたアドレスとは無関係に、前述の店舗サーバ２００のＩＰアドレスを含む応答が返される。携帯端末３００によって、応答に含まれる店舗サーバ２００のＩＰアドレスに対してアクセス要求がされる。このため、店舗サーバ２００のＩＰアドレスの特定の情報を携帯端末３００で出力させることができる。
【０１６１】
（９）  無線ＬＡＮルータ１００またはルータ機能を含む店舗サーバ２００は、さらに、所定のドメイン名または所定のホスト名を設定するための設定部を備える。
【０１６２】
このような構成によれば、店舗サーバ２００のＩＰアドレスを含む応答を返す名前解決要求で指定されるドメイン名またはホスト名を動的に設定することができる。このため、指定されたドメイン名またはホスト名の情報に替えて、特定の情報を出力させる場合のドメイン名またはホスト名を、適宜、変更することができる。
【０１６３】
（１０）  設定部は、所定のドメイン名または所定のホスト名を、ワイルドカードまたは正規表現でまとめて設定可能である。
【０１６４】
このような構成によれば、指定されたドメイン名またはホスト名の情報に替えて、特定の情報を出力させる場合の所定ドメイン名または所定のホスト名を効率よく設定することができる。
【０１６５】
（１１）  無線ＬＡＮルータ１００またはルータ機能を含む店舗サーバ２００は、さらに、店舗サーバ２００のＩＰアドレスを設定するための設定部を備える。
【０１６６】
このような構成によれば、設置する店舗サーバ２００に応じて、店舗サーバ２００のＩＰアドレスを設定することができる。このため、店舗サーバ２００を変更した場合であっても、容易に、店舗サーバ２００のＩＰアドレスを変更することができる。
【０１６７】
（１２）  無線ＬＡＮルータ１００またはルータ機能を含む店舗サーバ２００は、店舗内の携帯端末３００と通信可能に設置される。特定の情報は、店舗２０の広告情報、チラシ情報もしくは売場情報などの店舗２０の情報、または、楽曲もしくは映像を再生するための情報などである。
【０１６８】
このような構成によれば、店舗２０の広告情報、チラシ情報もしくは売場情報、または、楽曲もしくは映像を再生するための情報を店舗２０の中の携帯端末３００で出力させることができる。このため、店舗２０の側が店舗２０の中の携帯端末３００を有する客３０に効率よく広告情報、チラシ情報もしくは売場情報、または、お奨めの楽曲もしくは映像ソフトなどを伝達することができる。
【０１６９】
（１３）  店舗情報提供システム１０は、携帯端末３００と通信可能である。図５のステップＳ１０１，ステップＳ２０１，ステップＳ２０２、図７のステップＳ２１０，ステップＳ２１１，ステップＳ２１２、図１４のステップＳ２２０，ステップＳ２２１，ステップＳ２２２、および、図１５のステップＳ２３０，ステップＳ２３１で示したように、店舗情報提供システム１０は、携帯端末３００からの、接続先を指定した接続要求を受信する受信部と、受信部によって受信された接続要求に応じて、特定の情報（たとえば、店舗２０の情報または視聴用の楽曲、または、店舗２０のローカルページの情報など）を含む特定ウェブページに誘導する誘導部とを備える。
【０１７０】
このような構成よれば、特定の情報を携帯端末３００で出力させて客３０に示すことが可能な店舗情報提供システム１０を提供することができるとともに、上述の（１）と同様の効果を得られる。
【０１７１】
（１４）  無線ＬＡＮルータ１００、および、ルータ機能を有する店舗サーバ２００は、携帯端末３００と通信可能である。図５のステップＳ１０１，ステップＳ２０１，ステップＳ２０２、図７のステップＳ２１０，ステップＳ２１１，ステップＳ２１２、図１４のステップＳ２２０，ステップＳ２２１，ステップＳ２２２、および、図１５のステップＳ２３０，ステップＳ２３１で示したように、無線ＬＡＮルータ１００、および、ルータ機能を有する店舗サーバ２００は、携帯端末３００からの、接続先を指定した接続要求を受信する受信部と、受信部によって受信された接続要求に応じて、特定の情報（たとえば、店舗２０の情報、視聴用の楽曲、または、店舗２０のローカルページの情報など）を含む特定ウェブページに誘導させるための応答を当該携帯端末に返す応答部とを備える。
【０１７２】
このような構成よれば、特定の情報を携帯端末３００で出力させて客３０に示すことが可能な無線ＬＡＮルータ１００およびルータ機能を有する店舗サーバ２００を提供することができるとともに、上述の（１）と同様の効果を得られる。
【０１７３】
（１５）  情報提供方法は、携帯端末３００と携帯端末３００と通信可能な店舗情報提供システム１０とを含む情報提供システムで行なわれる方法である。情報提供方法は、携帯端末３００が、図５のステップＳ３０１、図７のステップＳ３１１、図１４のステップＳ３２１および図１５のステップＳ３３１で示したように、店舗情報提供システム１０に対して、接続先を指定した接続要求をするステップと、情報提供装置が、図５のステップＳ１０１，ステップＳ２０１，ステップＳ２０２、図７のステップＳ２１０，ステップＳ２１１，ステップＳ２１２、図１４のステップＳ２２０，ステップＳ２２１，ステップＳ２２２、および、図１５のステップＳ２３０，ステップＳ２３１で示したように、携帯端末からの接続要求を受信するステップと、情報提供装置が、受信された接続要求に応じて、特定の情報（たとえば、店舗２０の情報、視聴用の楽曲、または、店舗２０のローカルページの情報など）を含む特定ウェブページに誘導するステップと、携帯端末が、図３（Ｂ）〜図３（Ｄ）、図９および図１３（Ａ）で示したように、誘導された特定ウェブページに含まれる特定の情報（たとえば、店舗２０の情報、視聴用の楽曲、または、店舗２０のローカルページの情報）を出力するステップとを含む。
【０１７４】
このような構成よれば、特定の情報を携帯端末３００で出力させて客３０に示すことが可能な情報提供方法を提供することができるとともに、上述の（１）と同様の効果を得られる。
【０１７５】
（１６）  情報提供プログラムは、携帯端末３００と通信可能な無線ＬＡＮルータ１００またはルータ機能を有する店舗サーバ２００で実行される。図５のステップＳ１０１，ステップＳ２０１，ステップＳ２０２、図７のステップＳ２１０，ステップＳ２１１，ステップＳ２１２、図１４のステップＳ２２０，ステップＳ２２１，ステップＳ２２２、および、図１５のステップＳ２３０，ステップＳ２３１で示したように、情報提供プログラムは、携帯端末３００からの、接続先を指定した接続要求を受信するステップと、受信された接続要求に応じて、特定の情報（たとえば、店舗２０の情報、視聴用の楽曲、または、店舗２０のローカルページの情報など）を含む特定ウェブページに誘導させるための応答を当該携帯端末３００に返すステップとを、無線ＬＡＮルータ１００またはルータ機能を有する店舗サーバ２００に実行させる。
【０１７６】
このような構成よれば、特定の情報を携帯端末３００で出力させて客３０に示すことが可能な情報提供プログラムを提供することができるとともに、上述の（１）と同様の効果を得られる。
【０１７７】
［その他の変形例］
（１）  前述した実施の形態においては、特定の情報を提供するのは、店舗内の店舗サーバ２００であることとした。しかし、これに限定されず、特定の情報を提供するのは、店舗外のサーバであってもよい。この場合は、図５のステップＳ１０１で、店舗サーバ２００のＩＰアドレスに替えて、店舗外のサーバのＩＰアドレスが携帯端末３００に送信される。
【０１７８】
（２）  前述した第１の実施の形態においては、無線ＬＡＮルータ１００が１台であることとした。しかし、これに限定されず、無線ＬＡＮルータ１００は、複数であってもよい。これによって、広い店舗内の場合であっても、全体をカバーすることができる。
【０１７９】
（３）  前述した実施の形態においては、店舗２０など建物の中で情報を提供することとした。しかし、これに限定されず、無線ＬＡＮルータ１００がカバーできる範囲の屋外であってもよい。
【０１８０】
（４）  前述した実施の形態においては、携帯端末３００で出力される特定の情報は、店舗２０の広告情報、チラシ情報もしくは売場情報などの店舗２０の情報、または、楽曲もしくは映像を再生するための情報などであることとした。しかし、これに限定されず、特定の情報は、他の情報であってもよい。たとえば、屋外で情報を表示させる場合は、その場所に関する情報であってもよい。テーマパークなどで表示させる場合は、アトラクションの情報および混雑状況などであってもよい。鉄道の駅、バス停、および、空港などで表示させる場合は、出発到着時刻の情報および運行状況などであってもよい。
【０１８１】
（５）  前述した実施の形態においては、店舗情報提供システム１０の発明として説明した。しかし、これに限定されず、店舗情報提供システム１０に含まれる無線ＬＡＮルータ１００または店舗サーバ２００の発明として捉えることもできるし、店舗情報提供システム１０、無線ＬＡＮルータ１００または店舗サーバ２００で実行される情報提供方法の発明として捉えることもできるし、無線ＬＡＮルータ１００または店舗サーバ２００で実行される情報提供プログラムの発明として捉えることもできる。
【０１８２】
（６）  前述したそれぞれの技術は、組合せを妨げるような事情が特に無い限り、自由に組合せることが可能である。
【０１８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１８４】
１０  店舗情報提供システム、２０  店舗、３０，３０Ａ〜３０Ｃ  客、５０  店長、６０  担当者、７０  本部、１００，１１００  無線ＬＡＮルータ、２００  店舗サーバ、２９０  リモコン、３００，３００Ａ〜３００Ｃ  携帯端末、４００  店舗提供情報管理サーバ、４５０  許可サーバ、５００  サイネージ管理サーバ、６００  上位ＤＮＳサーバ、６１０  デジタルサイネージ、６２０  サウンドサイネージ、７００  非接触式ＩＣチップリーダ、７５０  複合機、８１０  事前会員登録システム、８２０  バックヤードシステム、８３０  会員管理基幹システム、９００  インターネット、９１０  アクセスポイント、１１００  音楽視聴システム、１１９０  ヘッドフォン、１２００  ウェブサーバ。
【図１】
0005512785.tif 000002
【図２】
0005512785.tif 000003
【図３】
0005512785.tif 000004
【図４】
0005512785.tif 000005
【図５】
0005512785.tif 000006
【図６】
0005512785.tif 000007
【図７】
0005512785.tif 000008
【図８】
0005512785.tif 000009
【図９】
0005512785.tif 000010
【図１０】
0005512785.tif 000011
【図１１】
0005512785.tif 000012
【図１２】
0005512785.tif 000013
【図１３】
0005512785.tif 000014
【図１４】
0005512785.tif 000015
【図１５】
0005512785.tif 000016